(57)【要約】【課題】リンクボタンの操作の際の利便性の向上を図ること。【解決手段】本発明の携帯端末は、タッチパネル機能を備える表示部と、前記表示部の画面を２分割し、一方の分割画面に表示された情報内に特定のオブジェクト部品が存在する場合、該特定のオブジェクト部品を抜き出して他方の分割画面に拡大表示する制御部と、を有する。【選択図】図３
2014002646.tif 000002
【特許請求の範囲】
【請求項１】
タッチパネル機能を備える表示部と、
前記表示部の画面を２分割し、一方の分割画面に表示された情報内に特定のオブジェクト部品が存在する場合、該特定のオブジェクト部品を抜き出して他方の分割画面に拡大表示する制御部と、を有する携帯端末。
【請求項２】
前記制御部は、前記特定のオブジェクト部品に対するタッチ操作を、前記他方の分割画面のみに限定して受け付ける、請求項１に記載の携帯端末。
【請求項３】
前記特定のオブジェクト部品は、前記一方の分割画面の表示を別ページに遷移させるためのリンクボタンである、請求項１または２に記載の携帯端末。
【請求項４】
タッチパネル機能を備える表示部を有する携帯端末の制御方法であって、
前記表示部の画面を２分割し、
一方の分割画面に表示された情報内に特定のオブジェクト部品が存在する場合、該特定のオブジェクト部品を抜き出して他方の分割画面に拡大表示する、制御方法。
【請求項５】
前記特定のオブジェクト部品に対するタッチ操作を、前記他方の分割画面のみに限定して受け付ける、請求項４に記載の制御方法。
【請求項６】
前記特定のオブジェクト部品は、前記一方の分割画面の表示を別ページに遷移させるためのリンクボタンである、請求項４または５に記載の制御方法。
【発明の詳細な説明】
【技術分野】
【０００１】
本発明は、タッチパネル機能を備える表示部を有する携帯端末に関する。
【背景技術】
【０００２】
近年、スマートフォン等の普及により、大きな表示部を有する携帯端末が増加している。また、大きな表示部を確保するため、表示部がタッチパネル機能を備える携帯端末も増加している。
【０００３】
しかし、携帯端末の表示部は、以前と比べて大きくなったとはいえ、ＰＣ（Personal Computer）やテレビの表示部に比べると非常に小さい。
【０００４】
そのため、携帯端末において、インターネットサイトの閲覧等で、多くの情報を一度に表示部に表示させる場合、文字が小さくなってしまう。
【０００５】
その結果、携帯端末の使用者には、表示部の表示を別ページへ遷移させるためのリンクボタンが押しにくい、リンクボタンを間違って押してしまう等の不都合が生じる。このことから、使用者は、リンクボタンの操作の際には、その都度、拡大縮小操作を行う必要があり、利便性が悪いという問題があった。
【０００６】
上記の問題を解決するための技術として、例えば、特許文献１に記載の技術が挙げられる。この技術は、表示部の画面上に拡大対象枠と拡大表示領域とを配置し、拡大対象枠の内部にリンク情報等の文字列が選択候補として含まれている場合、その選択候補を抽出して、拡大表示領域に拡大表示するものである。
【先行技術文献】
【特許文献】
【０００７】
【特許文献１】特開２００９−１６９４５２号公報
【発明の概要】
【発明が解決しようとする課題】
【０００８】
上述のように、特許文献１に記載の技術は、拡大対象枠の内部に含まれている選択候補を抽出して、拡大表示領域に拡大表示するため、携帯端末の使用者が拡大縮小操作を行うことなく、リンクボタンを拡大表示することが可能になる。
【０００９】
しかし、特許文献１に記載の技術は、拡大対象枠の内部に含まれている選択候補のみを拡大表示するものであるため、携帯端末の使用者は、画面に表示されている選択候補のうちの所望の選択候補を拡大表示するには、その選択候補が表示されている箇所に拡大対象枠を移動させる操作を行う必要がある。
【００１０】
そのため、結局は、使用者に手間が掛かってしまい、リンクボタンの操作の際の利便性が悪いという問題を解決できてはいないという課題がある。
【００１１】
そこで、本発明の目的は、上述した課題を解決し、リンクボタンの操作の際の利便性の向上を図ることができる技術を提供することにある。
【課題を解決するための手段】
【００１２】
本発明の携帯端末は、
タッチパネル機能を備える表示部と、
前記表示部の画面を２分割し、一方の分割画面に表示された情報内に特定のオブジェクト部品が存在する場合、該特定のオブジェクト部品を抜き出して他方の分割画面に拡大表示する制御部と、を有する。
【００１３】
本発明の携帯端末の制御方法は、
タッチパネル機能を備える表示部を有する携帯端末の制御方法であって、
前記表示部の画面を２分割し、
一方の分割画面に表示された情報内に特定のオブジェクト部品が存在する場合、該特定のオブジェクト部品を抜き出して他方の分割画面に拡大表示する。
【発明の効果】
【００１４】
本発明によれば、リンクボタンの操作の際の利便性の向上を図ることができるという効果が得られる。
【図面の簡単な説明】
【００１５】
【図１】本実施形態の携帯電話機の外観図である。
【図２】本実施形態の携帯電話機の機能ブロック図である。
【図３】本実施形態の携帯電話機の使用時の状態を示す図である。
【図４】本実施形態の携帯電話機の動作を説明するフロー図である。
【発明を実施するための形態】
【００１６】
以下に、本発明を実施するための形態について図面を参照して説明する。以下では、本発明の携帯端末を、携帯電話機に適用した例について説明する。
【００１７】
図１に本実施形態の携帯電話機１０の外観図を示し、図２に本実施形態の携帯電話機１０の機能ブロック図を示す。
【００１８】
図１および図２に示すように、本実施形態の携帯電話機１０は、表示操作部１１と、操作部１２と、電源部１３と、無線部１４と、アンテナ部１５と、制御部１６と、を有している。なお、図１および図２においては、本発明の本質的な構成要素を抜き出して示したものであり、その他の構成要素は省略している。
【００１９】
表示操作部１１は、携帯電話機１０の使用者のタッチ操作とタッチ操作が行われた位置とを検知するタッチパネル機能を備えた表示部である。すなわち、表示操作部１１は、表示部の機能と操作部の機能とを併せ持っている。
【００２０】
操作部１２は、携帯電話機１０の使用者が操作するキーである。
【００２１】
電源部１３は、携帯電話機１０内の各構成要素に電源を供給する。
【００２２】
無線部１４は、アンテナ部１５を介して基地局（不図示）と無線通信を行う。
【００２３】
制御部１６は、表示操作部１１の画面上または操作部１２上で行われた操作を受け付けて、携帯電話機１０内の各構成要素を制御して各種の処理を行う。
【００２４】
なお、制御部１６は、表示操作部１１の画面上でタッチ操作が行われた場合、タッチ操作が行われた位置とその位置に表示されている情報とを基に、操作内容を判断する。
【００２５】
また、表示操作部１１の画面上または操作部１２上で、インターネット閲覧等を行う旨の操作が行われた場合、制御部１６は、その操作を受け付けると、無線部１５を制御して、アンテナ部１５を介した無線通信を行うよう制御する。
【００２６】
図３に、本実施形態の携帯電話機１０の使用時の状態を示す。
【００２７】
図３に示すように、制御部１６は、２分割表示モード時には、表示操作部１１の画面を上画面（一方の分割画面）Ａと下画面（他方の分割画面）Ｂとに２分割し、上画面Ａにはインターネットサイトのページ等の情報を表示する。そのため、上画面Ａに表示される情報の情報量は多く、文字は小さくなる。
【００２８】
このとき、上画面Ａに表示された情報内に、上画面Ａの表示を別ページに遷移させるためのリンクボタンが含まれる場合、制御部１６は、そのリンクボタンを抽出して、下画面Ｂに拡大して表示する。
【００２９】
例えば、図３の例では、上画面Ａに表示された情報内には、リンクボタン「URL:http://www.abcac」とリンクボタン「URL:http://www.xyz.xyz」との２つのリンクボタンが含まれている。そのため、制御部１６は、上記の２つのリンクボタンを抽出して、下画面Ｂに拡大表示する。
【００３０】
このように本実施形態の携帯電話機１０においては、上画面Ａに表示された情報内に含まれるリンクボタンを自動的に下画面Ｂに拡大表示するため、ユーザに手間を掛けさせることなく、リンクボタンを拡大表示することができ、それにより、リンクボタンの操作の際の利便性の向上を図ることができるという効果が得られる。
【００３１】
また、本実施形態の携帯電話機１０においては、制御部１６は、リンクボタンに対するタッチ操作を下画面Ｂのみに限定して受け付け、上画面Ａにおけるリンクボタンに対するタッチ操作は不可とする。
【００３２】
これにより、情報量が多く、文字の小さな上画面Ａでのリンクボタンの誤操作を防止し、不要なページ遷移を防止することができるという効果が得られる。
【００３３】
以下、本実施形態の携帯電話機１０の動作を、図４のフロー図に沿って説明する。
【００３４】
図４に示すように、携帯電話機１０の使用者が２分割表示モードを起動する操作を行った場合（ステップＳ１のＹｅｓ）、制御部１６は、２分割表示モードに移行し、表示操作部１１の画面を上画面Ａと下画面Ｂとに２分割する（ステップＳ２）。
【００３５】
このとき、上画面Ａに表示された情報内にリンクボタンが含まれる場合（ステップＳ３のＹｅｓ）、制御部１６は、そのリンクボタンを抽出して、下画面Ｂに拡大表示する（ステップＳ４）。
【００３６】
そして、下画面Ｂに表示されたリンクボタンに対するタッチ操作が表示操作部１１にて検知された場合（ステップＳ５のＹｅｓ）、制御部１６は、上画面Ａの表示をリンク先の別ページへと遷移させ（ステップＳ６）、ステップＳ３の処理に戻る。
【００３７】
なお、制御部１６は、上画面Ａと下画面Ｂの画面領域を記憶しており、そのために、ステップＳ５において、リンクボタンに対するタッチ操作が行われた場合に、そのタッチ操作が上画面Ａまたは下画面Ｂのどちらで行われたかを判断することができる。
【００３８】
また、制御部１６は、上画面Ａに表示されたリンクボタンに対するタッチ操作が検知された場合は、そのタッチ操作を無視しても良いし、または、「上画面Ａではリンクボタンに対するタッチ操作を不可とする」旨の表示をしても良い（この表示の画面上の位置は問わない）。この表示を行う場合は、表示後にステップＳ３の処理に戻れば良い。
【００３９】
ここで、上画面Ａに表示された情報内にリンクボタンが含まれない場合や（ステップＳ３のＮｏ）、下画面Ｂに表示されたリンクボタンに対するタッチ操作が検知されない場合（ステップＳ５のＮｏ）、制御部１６は、携帯電話機１０の使用者が２分割表示モードを終了する操作を行ったか否かを判断する（ステップＳ７）。
【００４０】
制御部１６は、使用者が２分割表示モードを終了する操作を行っていない場合は（ステップＳ７のＮｏ）、ステップＳ３の処理に戻り、一方、使用者が２分割表示モードを終了する操作を行った場合は（ステップＳ７のＹｅｓ）、２分割表示モードを終了し（ステップＳ８）、ステップＳ１の処理に戻る。
【００４１】
以上、実施形態を参照して本発明を説明したが、本発明は上記実施形態に限定されるものではない。本発明の構成や詳細には、本発明の範囲内で当業者が理解し得る様々な変更をすることができる。
【００４２】
例えば、本実施形態においては、リンクボタンを拡大表示の対象とする例を説明したが、本発明はこれに限定されず、リンクボタン以外のオブジェクト部品（例えば、ボタンなどのＵＩ（User Interface）部品）を拡大表示の対象としても良い。ただし、対象とするオブジェクト部品は、リンクボタンのように単純リンクの構造であることが好ましい。
【００４３】
また、本実施形態においては、上画面にインターネットサイトのページ等の情報を表示し、上画面に含まれるリンクボタンを下画面に拡大表示する例を説明したが、本発明はこれに限定されず、これとは逆に、下画面にインターネットサイトのページ等の情報を表示し、下画面に含まれるリンクボタンを上画面に拡大表示しても良い。
【００４４】
また、本実施形態においては、表示制御部の画面を上下に２分割する例を説明したが、本発明はこれに限定されず、例えば、左右に２分割しても良い。
【００４５】
また、本実施形態においては、本発明の携帯端末を携帯電話機に適用する例を説明したが、本発明はこれに限定されず、スマートフォンや、ＰＤＡ（Personal Data Assistants：携帯情報端末）等に適用することも可能である。
【符号の説明】
【００４６】
１０    携帯電話機
１１    表示操作部
１２    操作部
１３    電源部
１４    無線部
１５    アンテナ部
１６    制御部
【図１】
2014002646.tif 000003
【図２】
2014002646.tif 000004
【図３】
2014002646.tif 000005
【図４】
2014002646.tif 000006